(57)【要約】【課題】口座不要の送金サービスをセキュアかつ効率的に提供可能とする。【解決手段】送金管理システム１００において、送金者による所定額の金員の送金要求の情報を格納する記憶装置１０１と、少なくとも送金要求の識別データ等を受取者の連絡先に宛て通知し、この受取者による所定操作を受けたＡＴＭ４００から受取者の撮影データを受信し、当該撮影データを送金要求と紐付けて格納し、受取者と所定属性が共通する他者の撮影データおよび受取者の前記撮影データを含む複数の撮影データを、送金者の端末２００に配信し、この端末２００から、送金者が正しい受取者として選択したものの情報を受信し、当該選択した撮影データの情報が送金要求に紐付けた撮影データを指すものである場合、ＡＴＭ４００に対して出金指示を通知する演算装置１０４を含む構成とする。【選択図】図２
2020008991.tif 000002
【特許請求の範囲】
【請求項１】
送金者による所定額の金員の送金要求の情報を格納する記憶装置と、
前記情報のうち少なくとも前記送金要求の識別データ、または前記情報の一部または全部を所定ルールで処理した所定データを、前記情報が示す受取者の連絡先に宛て通知する処理と、前記通知を認識した前記受取者による所定操作を受けた所定の出金装置から、前記受取者の撮影データを受信し、前記撮影データを前記送金要求と紐付けて記憶装置に格納する処理と、前記受取者と所定属性が共通する他者の撮影データおよび前記受取者の前記撮影データを含む複数の撮影データを、前記送金者の端末に配信する処理と、前記送金者の端末から、前記送金者が前記複数の撮影データの中から正しい受取者として選択したものの情報を受信し、当該選択した撮影データの情報が前記送金要求に紐付けた前記撮影データを指すものである場合、前記出金装置に対して前記金員の出金指示を通知する処理と、を実行する演算装置と、
を含むことを特徴とする送金管理システム。
【請求項２】
前記演算装置は、
前記受取者による所定操作を受けて操作不可状態となっていた前記出金装置に対し、前記出金指示にあわせて或いは先立って、前記操作不可状態の解除指示を通知する処理をさらに実行するものである、
ことを特徴とする請求項１に記載の送金管理システム。
【請求項３】
前記演算装置は、
前記出金指示の通知に先立ち、
前記操作不可状態の解除指示の通知に伴い、所定アルゴリズムによりワンタイムパスワードを生成および保持し、前記ワンタイムパスワードを前記受取者の端末に通知する処理と、前記受取者が前記出金装置で入力したワンタイムパスワードを、当該出金装置から受信し、当該ワンタイムパスワードが前記保持したワンタイムパスワードと一致するか判定する処理と、を実行し、
前記判定の結果、ワンタイムパスワードの一致がみられた場合に、前記出金指示の通知を行うものである、
ことを特徴とする請求項２に記載の送金管理システム。
【請求項４】
送金者による所定額の金員の送金要求の情報を格納する記憶装置と、
前記情報のうち少なくとも前記送金要求の識別データ、または前記情報の一部または全部を所定ルールで処理した所定データを、前記情報が示す受取者の連絡先に宛て通知する処理と、前記通知を認識した前記受取者による所定操作を受けた所定の出金装置または当該受取者の端末に対し、予め保持する前記送金者の撮影データと、前記送金者と所定属性が共通する他者の撮影データとを含む複数の撮影データを配信する処理と、前記出金装置または前記受取者の端末から、前記受取者が前記複数の撮影データの中から正しい送金者として選択したものの情報を受信し、当該選択した撮影データの情報が前記予め保持する前記送金者の撮影データを指すものである場合、前記出金装置に対して前記金員の出金指示を通知する処理と、を実行する演算装置と、
を含むことを特徴とする送金管理システム。
【請求項５】
送金者による所定額の金員の送金要求の情報を格納する記憶装置を備えた情報処理システムが、
前記情報のうち少なくとも前記送金要求の識別データ、または前記情報の一部または全部を所定ルールで処理した所定データを、前記情報が示す受取者の連絡先に宛て通知する処理と、
前記通知を認識した前記受取者による所定操作を受けた所定の出金装置から、前記受取
者の撮影データを受信し、前記撮影データを前記送金要求と紐付けて記憶装置に格納する処理と、
前記受取者と所定属性が共通する他者の撮影データおよび前記受取者の前記撮影データを含む複数の撮影データを、前記送金者の端末に配信する処理と、
前記送金者の端末から、前記送金者が前記複数の撮影データの中から正しい受取者として選択したものの情報を受信し、当該選択した撮影データの情報が前記送金要求に紐付けた前記撮影データを指すものである場合、前記出金装置に対して前記金員の出金指示を通知する処理と、
を実行することを特徴とする送金管理方法。
【請求項６】
前記情報処理システムが、
前記受取者による所定操作を受けて操作不可状態となっていた前記出金装置に対し、前記出金指示にあわせて或いは先立って、前記操作不可状態の解除指示を通知する処理をさらに実行する、
ことを特徴とする請求項５に記載の送金管理方法。
【請求項７】
前記情報処理システムが、
前記出金指示の通知に先立ち、
前記操作不可状態の解除指示の通知に伴い、所定アルゴリズムによりワンタイムパスワードを生成および保持し、前記ワンタイムパスワードを前記受取者の端末に通知する処理と、前記受取者が前記出金装置で入力したワンタイムパスワードを、当該出金装置から受信し、当該ワンタイムパスワードが前記保持したワンタイムパスワードと一致するか判定する処理と、を実行し、
前記判定の結果、ワンタイムパスワードの一致がみられた場合に、前記出金指示の通知を行う、
ことを特徴とする請求項６に記載の送金管理方法。
【発明の詳細な説明】
【技術分野】
【０００１】
本発明は、送金管理システムおよび送金管理方法に関するものであり、具体的には、口座不要の送金サービスをセキュアかつ効率的に提供可能とする技術に関する。
【背景技術】
【０００２】
いわゆる新興国では、先進国と比べて銀行口座の保有率が低い傾向にある。一方、個人間での金銭授受のニーズは旺盛であり、現金の手交以外の手段として、銀行口座不要の送金サービスが流行している。
【０００３】
このサービスでは、送金者が携帯ショップ等で、送金額、支払方法、および、受取者の電話番号を伝えた上で、送金額の金員をスタッフに手渡し、代わりにレシートを受け取る。またこの送金者は、上述のレシートに記載された確認番号を受取者に伝達する。一方、受取者は、最寄りの携帯ショップ等で自身の電話番号および上述の確認番号をスタッフに伝え、送金額に応じた金員を受領することができる。
【０００４】
このような口座不要の送金技術としては、例えば、お金の受取人が金融機関に口座を持っていない場合は振込処理が出来ず、住所確認が不可の場合は現金書留でも送金依頼ができなかった、という課題認識の下、仮口座の開設により、口座を持たない人への振込処理を可能とした現金自動取引装置を利用した振込処理方式（特許文献１参照）などが提案されている。
【０００５】
また、受取人への振込処理が可能な自動取引装置であって、利用者の操作を受け付ける操作部と、画像表示部と、を備え、前記利用者が前記操作部を用いて前記受取人への振込処理の操作を行ったときに、前記画像表示部が、予め取得されている前記受取人の生体情報を表示する、自動取引装置（特許文献２参照）なども提案されている。
【先行技術文献】
【特許文献】
【０００６】
【特許文献１】特開２０１０−２６７１７２号公報
【特許文献２】特開２０１０−１４０１７８号公報
【発明の概要】
【発明が解決しようとする課題】
【０００７】
ところが、新興国等で既に提供されている送金サービスでは、幾つかの課題が残されている。例えば、送金者が上述のレシートを紛失ないし盗まれ、悪意の第三者に該当金員を不正に受領されてしまう恐れがある。
【０００８】
或いは、送金者が受取者に確認番号を伝達する際、その伝達手段が口頭（通話含む）であれば盗聴のリスクが、また、メール等であれば漏洩や不正取得のリスクが存在し、いずれにしても悪意の第三者に該当金員を不正に受領されてしまう恐れがある。
また、送金者が受取者に対して誤った確認番号を伝達してしまった場合、正しい受取者であっても金員の受領ができなくなる問題もある。
そこで本発明の目的は、口座不要の送金サービスをセキュアかつ効率的に提供可能とする技術を提供することにある。
【課題を解決するための手段】
【０００９】
上記課題を解決する本発明の送金管理システムは、送金者による所定額の金員の送金要
求の情報を格納する記憶装置と、前記情報のうち少なくとも前記送金要求の識別データ、または前記情報の一部または全部を所定ルールで処理した所定データを、前記情報が示す受取者の連絡先に宛て通知する処理と、前記通知を認識した前記受取者による所定操作を受けた所定の出金装置から、前記受取者の撮影データを受信し、前記撮影データを前記送金要求と紐付けて記憶装置に格納する処理と、前記受取者と所定属性が共通する他者の撮影データおよび前記受取者の前記撮影データを含む複数の撮影データを、前記送金者の端末に配信する処理と、前記送金者の端末から、前記送金者が前記複数の撮影データの中から正しい受取者として選択したものの情報を受信し、当該選択した撮影データの情報が前記送金要求に紐付けた前記撮影データを指すものである場合、前記出金装置に対して前記金員の出金指示を通知する処理と、を実行する演算装置と、を含むことを特徴とする。
【００１０】
また、本発明の送金管理システムは、送金者による所定額の金員の送金要求の情報を格納する記憶装置と、前記情報のうち少なくとも前記送金要求の識別データ、または前記情報の一部または全部を所定ルールで処理した所定データを、前記情報が示す受取者の連絡先に宛て通知する処理と、前記通知を認識した前記受取者による所定操作を受けた所定の出金装置または当該受取者の端末に対し、予め保持する前記送金者の撮影データと、前記送金者と所定属性が共通する他者の撮影データとを含む複数の撮影データを配信する処理と、前記出金装置または前記受取者の端末から、前記受取者が前記複数の撮影データの中から正しい送金者として選択したものの情報を受信し、当該選択した撮影データの情報が前記予め保持する前記送金者の撮影データを指すものである場合、前記出金装置に対して前記金員の出金指示を通知する処理と、を実行する演算装置と、を含むことを特徴とする。
【００１１】
また、本発明の送金管理方法は、送金者による所定額の金員の送金要求の情報を格納する記憶装置を備えた情報処理システムが、前記情報のうち少なくとも前記送金要求の識別データ、または前記情報の一部または全部を所定ルールで処理した所定データを、前記情報が示す受取者の連絡先に宛て通知する処理と、前記通知を認識した前記受取者による所定操作を受けた所定の出金装置から、前記受取者の撮影データを受信し、前記撮影データを前記送金要求と紐付けて記憶装置に格納する処理と、前記受取者と所定属性が共通する他者の撮影データおよび前記受取者の前記撮影データを含む複数の撮影データを、前記送金者の端末に配信する処理と、前記送金者の端末から、前記送金者が前記複数の撮影データの中から正しい受取者として選択したものの情報を受信し、当該選択した撮影データの情報が前記送金要求に紐付けた前記撮影データを指すものである場合、前記出金装置に対して前記金員の出金指示を通知する処理と、を実行することを特徴とする。
【発明の効果】
【００１２】
本発明によれば、口座不要の送金サービスをセキュアかつ効率的に提供可能となる。
【図面の簡単な説明】
【００１３】
【図１】本実施形態の送金管理システムを含むネットワーク構成図である。
【図２】本実施形態の送金管理システムのハードウェア構成例を示す図である。
【図３】本実施形態の送金者端末のハードウェア構成例を示す図である。
【図４】本実施形態の受取者端末のハードウェア構成例を示す図である。
【図５】本実施形態におけるＡＴＭのハードウェア構成例を示す図である。
【図６】本実施形態の取引管理テーブルのデータ構成例を示す図である。
【図７】本実施形態のパスワード管理テーブルのデータ構成例を示す図である。
【図８】本実施形態のダミー画像テーブルのデータ構成例を示す図である。
【図９】本実施形態における送金管理方法のシーケンス例１を示す図である。
【図１０】本実施形態における送金管理方法のシーケンス例２を示す図である。
【図１１】本実施形態における送金管理方法のシーケンス例３を示す図である。
【図１２】本実施形態における送金管理方法のシーケンス例４を示す図である。
【図１３】本実施形態における送金管理方法のシーケンス例５を示す図である。
【図１４】本実施形態における画面例１を示す図である。
【図１５】本実施形態における画面例２を示す図である。
【図１６】本実施形態における画面例３を示す図である。
【図１７】本実施形態における画面例４を示す図である。
【図１８】本実施形態における画面例５を示す図である。
【図１９】本実施形態における画面例６を示す図である。
【図２０】本実施形態における画面例７を示す図である。
【図２１】他実施形態の取引管理テーブルのデータ構成例を示す図である。
【図２２】他実施形態の送金者端末のハードウェア構成例を示す図である。
【図２３】他実施形態における送金管理方法のシーケンス例１を示す図である。
【図２４】他実施形態における送金管理方法のシーケンス例２を示す図である。
【図２５】他実施形態における画面例８を示す図である。
【図２６】他実施形態における画面例９を示す図である。
【発明を実施するための形態】
【００１４】
−−−ネットワーク構成−−−
【００１５】
以下に本発明の実施形態について図面を用いて詳細に説明する。図１は、本実施形態における送金管理システム１００を含むネットワーク構成図である。図１に示す送金管理システム１００は、口座不要の送金サービスをセキュアかつ効率的に提供可能とするコンピュータシステムである。
【００１６】
本実施形態では、この送金管理システム１００の具体例として、取引管理サーバを例示している。よって以降の説明では、送金管理システムを取引管理サーバ１００として説明を行うものとする。
【００１７】
図１で例示するネットワーク１には、上述の取引管理サーバ１００に加え、取引管理端末１５０、送金者端末２００、受取者端末３００、および、ＡＴＭ４００、が接続可能となっている。
【００１８】
このうち、取引管理端末１５０は、例えば、送金者や受取者が訪れることが可能な店舗に備わる端末である。この店舗のスタッフは、通常の販売業務等に加えて、送金者から送金対象の金員（紙幣、硬貨）を受領し、取引管理サーバ１００に必要な情報を登録する業務も行っている。取引管理端末１５０は、上述のスタッフが操作する端末となる。
【００１９】
また、送金者端末２００は、送金者が操作して、取引管理サーバ１００に対して送金要求を行う端末である。一方、受取者端末３００は、上述の送金者による送金対象者たる受取者が操作するもので、取引管理サーバ１００からの通知（例：送金要求の識別データ、または送金要求の一部または全部を所定ルールで処理した所定データ）を表示する端末である。
【００２０】
また、ＡＴＭ４００は、上述の送金要求に応じた金員すなわち現金を実際に出金し、上述の受取者に受領させる出金装置である。ＡＴＭとしての基本的な機能、構成は、既存のものと同様であるが、上述の受取者による金員の受領手続に対応するため、当該手続に関する業務を行うためのインターフェイス（画面やボタン）、受取者端末３００のＮＦＣチップ（後述）や所定のバーコードに対する読み取りを行う各種リーダ、受取者の顔画像を撮影する撮像装置、を特徴的に備える。
−−−ハードウェア構成−−−
【００２１】
また、送金管理システムたる取引管理サーバ１００のハードウェア構成は以下の如くとなる。本実施形態の取引管理サーバ１００は、ＳＳＤ（Ｓｏｌｉｄ  Ｓｔａｔｅ  Ｄｒｉｖｅ）やハードディスクドライブなど適宜な不揮発性記憶素子で構成される記憶装置１０１、ＲＡＭなど揮発性記憶素子で構成されるメモリ１０３、記憶装置１０１に保持されるプログラム１０２をメモリ１０３に読み出すなどして実行し装置自体の統括制御を行なうとともに各種判定、演算及び制御処理を行なうＣＰＵなどの演算装置１０４、ネットワーク１と接続し他装置との通信処理を担う通信装置１０５、を備える。
【００２２】
なお、記憶装置１０１内には、本実施形態の送金管理システムとして必要な機能を実装する為のプログラム１０２に加えて、取引管理テーブル１２５、パスワード管理テーブル１２６、および、ダミー画像テーブル１２７、が少なくとも記憶されている。これら各テーブルの詳細については後述する。
【００２３】
また、図３に本実施形態における送金者端末２００のハードウェア構成例を示す。当該送金者端末２００は、ＳＳＤ（Ｓｏｌｉｄ  Ｓｔａｔｅ  Ｄｒｉｖｅ）やハードディスクドライブなど適宜な不揮発性記憶素子で構成される記憶装置２０１、ＲＡＭなど揮発性記憶素子で構成されるメモリ２０３、記憶装置２０１に保持されるプログラム２０２をメモリ２０３に読み出すなどして実行し装置自体の統括制御を行なうとともに各種判定、演算及び制御処理を行なうＣＰＵなどの演算装置２０４、ユーザたる送金者からのキー入力等を受け付ける入力装置２０５、処理データの表示を行う出力装置２０６、ネットワーク１と接続し他装置との通信処理を担う通信装置２０７、を備える。
【００２４】
なお、記憶装置２０１内には、本実施形態の送金者端末２００として必要な機能を実装する為のプログラム２０２として、取引アプリ２１０が格納されている。この取引アプリ２１０は、例えば、取引管理サーバ１００の提供する送金サービスに対応したアプリケーションで、取引管理サーバ１００とのデータ授受のインターフェイスとなりうるアプリケーションである。
【００２５】
また、図４に本実施形態における受取者端末３００のハードウェア構成例を示す。当該受取者端末３００は、ＳＳＤ（Ｓｏｌｉｄ  Ｓｔａｔｅ  Ｄｒｉｖｅ）やハードディスクドライブなど適宜な不揮発性記憶素子で構成される記憶装置３０１、ＲＡＭなど揮発性記憶素子で構成されるメモリ３０３、記憶装置３０１に保持されるプログラム３０２をメモリ３０３に読み出すなどして実行し装置自体の統括制御を行なうとともに各種判定、演算及び制御処理を行なうＣＰＵなどの演算装置３０４、ユーザたる受取者からのキー入力等を受け付ける入力装置３０５、処理データの表示を行う出力装置３０６、ネットワーク１と接続し他装置との通信処理を担う通信装置３０７、および、ＮＦＣチップ３０８、を備える。
【００２６】
このうちＮＦＣチップ３０８は、ＮＦＣ（Near field communication）、すなわち近距離無線通信のためのチップであり、特に図示はしないが、アンテナとセキュアエレメントもその構成に含むものとする。上述のアンテナは、ＡＴＭ４００のＮＦＣリーダ４１０（後述）から電波を受信するアンテナである。また、セキュアエレメントは、例えば、ＥＥＰＲＯＭで構成されており、上述の受取者の属性等を示すユーザデータや、送金要求の識別データまたは送金要求の情報の一部または全部を所定ルールで処理した所定データ（取引管理サーバ１００から受信し格納したもの）、がセキュアに格納されている。こうしたＮＦＣチップに関連する構成や一連の動作自体は、既知のものと同様である。
【００２７】
なお、記憶装置３０１内には、本実施形態の受取者端末３００として必要な機能を実装する為のプログラム３０２として、取引アプリ３１０が格納されている。この取引アプリ
３１０は、例えば、取引管理サーバ１００の提供する送金サービスに対応したアプリケーションで、取引管理サーバ１００とのデータ授受のインターフェイスとなりうるアプリケーションである。こうした構成は、送金者端末２００と同様である。
【００２８】
また、図５に本実施形態におけるＡＴＭ４００のハードウェア構成例を示す。当該ＡＴＭ４００は、図５にて示すように、現金格納庫４２０、現金搬送機構４３０、および現金入出口４４０といったＡＴＭとして一般的な装置構成と、こうした装置の制御を実行するコンピュータ４５０とを備えている。
【００２９】
このうちコンピュータ４５０は、ＳＳＤやハードディスクドライブなど適宜な不揮発性記憶素子で構成される記憶装置４０１、ＲＡＭなど揮発性記憶素子で構成されるメモリ４０３、記憶装置４０１に保持されるプログラム４０２をメモリ４０３に読み出すなどして実行し上述の各装置の統括制御を行なうとともに各種判定、演算及び制御処理を行なうＣＰＵなどの演算装置４０４、ユーザからの入力を受け付けるタッチパネルやキーボードといった入力装置４０５、処理結果を出力するディスプレイやスピーカー等の出力装置４０６、ネットワーク１と接続して外部装置との通信処理を担う通信装置４０７、ＮＦＣリーダ４１０、および、撮像装置４１１、を備える。なお、上述のプログラム４０２には、二次元コードの読取り処理を担うコードリーダアプリ４１２も含まれている。
【００３０】
このうちＮＦＣリーダ４１０は、上述の受取者端末３００が備えるＮＦＣチップ３０８に対する読み取り動作を行い、そのセキュアエレメントたるＥＥＰＲＯＭに格納された、受取者の属性等を示すユーザデータや、送金要求の識別データまたは送金要求の情報の一部または全部を所定ルールで処理した所定データを取得するものである。
【００３１】
また、撮像装置４１１は、デジタルカメラ（ビデオカメラの機能含みうる）であり、ＡＴＭ４００を訪れた上述の受取者の例えば顔画像を撮影する装置である。この撮像装置４１１が撮影した撮影データは、ＡＴＭ４００から取引管理サーバ１００に送信されることとなる。また、この撮像装置４１１は、コードリーダとしても機能する。すなわち、上述の受取者端末３００が、その出力装置３０６で表示させた二次元コードに対する撮影動作、すなわち読み取り動作を行い、この読み取りデータを、所定のコードリーダアプリ４１２に入力することで、受取者の属性等を示すユーザデータや、送金要求の識別データまたは送金要求の情報の一部または全部を取得することができる。
−−−データ構造例−−−
続いて、本実施形態の取引管理サーバ１００が用いるテーブル類について説明する。図６に、本実施形態における取引管理テーブル１２５の一例を示す。
本実施形態における取引管理テーブル１２５は、送金者端末２００から受信した、当該送金者による送金要求に関する情報を格納したテーブルである。
【００３２】
そのデータ構造は、送金要求を一意に特定する取引番号をキーとして、送金者名、送金者電話番号、受取者電話番号、受取者属性、送金要求を受け付けた日付、時刻、送金の金額、現金受取済フラグ、ＡＴＭ店番、ＡＴＭ機番、受取者画像、受取日付、および、受取時刻、といったデータから成るレコードの集合体である。
【００３３】
このうち、現金受取済フラグは、当該レコードが示す送金要求に関して、その送金者が所定の店舗を訪れて送金額に応じた現金を店舗スタッフに渡し、その入金登録が完了したことを示すものである。よって、上述の取引管理端末１５０で、店舗スタッフによる現金受取に応じた所定処理が完了した場合に、当該取引管理端末１５０からその旨の通知を受けて、この現金受取済フラグ欄に「ＯＫ」が設定される。
【００３４】
また、ＡＴＭ店番およびＡＴＭ機番は、当該レコードが示す送金要求に関して受取者が
訪れた、ＡＴＭ４００の設置店舗の店番と、当該ＡＴＭ４００を一意に識別する機番とが該当する。こうした値は、そのＡＴＭ４００が予め保持しており、当該ＡＴＭ４００から取引管理サーバ１００に送信されたものである。この送信は、上述の受取者が当該ＡＴＭ４００で所定の操作（例：現金受取手続のボタン押下、および、受取者端末３００のＮＦＣチップ３０８をＡＴＭ４００のＮＦＣリーダ４１０にかざす操作）を行ったことに伴い、当該受取者の顔画像を撮像装置４１１で撮影し、その撮影データや受取者の情報の送信を行うイベントが契機となる。
また、受取者画像は、上述のとおりＡＴＭ４００の撮像装置４１１で撮影された、受取者の顔画像である。
【００３５】
また、受取日付および受取時刻は、当該レコードが示す送金要求に関して、受取者が送金額に応じた金員をＡＴＭ４００から出金し、受領した日時を示すものである。よって、ＡＴＭ４００で受取者に対する金員の出金処理が完了した場合に、当該ＡＴＭ４００からその際の日時の通知を受けて、この値が格納される。
【００３６】
また図７に、本実施形態におけるパスワード管理テーブル１２６の一例を示す。このパスワード管理テーブル１２６は、上述の送金要求が示す受取者に対し、取引管理サーバ１００で発行したワンタイムパスワードを格納したテーブルである。
【００３７】
そのデータ構造は、送金要求を一意に特定する取引番号をキーとして、当該送金要求に関して発行したワンタイムパスワードを対応付けたレコードの集合体である。
【００３８】
また図８に、本実施形態におけるダミー画像テーブル１２７の一例を示す。このダミー画像テーブル１２７は、上述の送金要求が示す受取者に関して、取引管理サーバ１００がダミー画像として選定する際の画像データ群を格納したテーブルである。
【００３９】
そのデータ構造は、画像を一意に特定する画像ＩＤをキーとして、当該画像における被写体人物の各種属性を対応付けたレコードの集合体である。属性の例としては、性別、年齢、肌色、など様々に想定できるが、特に限定はしない。
−−−シーケンス例（送金内容登録）−−−
【００４０】
以下、本実施形態における送金管理方法の実際手順について図に基づき説明する。以下で説明する送金管理方法に対応する各種動作は、取引管理サーバ１００がメモリ等に読み出して実行するプログラムによって実現される。そして、このプログラムは、以下に説明される各種の動作を行うためのコードから構成されている。
この点は、取引管理サーバ１００と協働する、送金者端末２００、受取者端末３００、および、ＡＴＭ４００、に関しても同様である。
図９は、本実施形態における送金管理方法のシーケンス例１を示す図であり、図１０は、本実施形態における送金管理方法のシーケンス例２を示す図である。
【００４１】
ここでは、或る送金者が、その顔を見知っている知人や家族など所定の受取者に対し、或る金額の送金を行いたいと考え、その内容を取引管理サーバ１００に登録する行動を起こした状況を想定する。この場合、当該送金者は、所持する送金者端末２００において、取引アプリ２１０の起動操作を行ったとする。
【００４２】
そこで送金者端末２００は、取引アプリ２１０を起動し（ｓ１０）、当該取引アプリ２１０のインターフェイスを出力装置２０６たるディスプレイにて表示させる。
【００４３】
上述の送金者は、自身の送金者端末２００のディスプレイにおいて、取引アプリ２１０のインターフェイスを閲覧する。また、このインターフェイスにて送金内容の情報を入力
する。
【００４４】
送金者端末２００は、送金者が入力した送金内容の情報を、上述のインターフェイス（図１４の画面ｇ１）を介して取得し（ｓ１１）、これを送金要求として取引管理サーバ１００に送信する（ｓ１２）。ここで送信される送金要求が含む情報、すなわち送金内容の情報は、送金者名、送金者電話番号、受取者電話番号、受取者属性、および、送金額、といったものになる。
【００４５】
続いて、取引管理サーバ１００は、上述の送金者端末２００が送信してきた送金要求を受信し、この受信を契機にして取引番号を生成する（ｓ１３）。取引番号の生成は、取引管理テーブル１２５にて登録済みレコードに付与されている取引番号の最大値を１つインクリメントする、といった一般的手法を適宜に採用する。
【００４６】
また、取引管理サーバ１００は、ｓ１３で生成した取引番号をキーとしてレコードを生成し、このレコードに上述の送金内容の情報と、送金要求受信の日付および時刻をプラスした上でセットして取引管理テーブル１２５に格納する（ｓ１４）。
【００４７】
続いて、取引管理サーバ１００は、ｓ１４の完了をもって、送金内容の登録完了の通知を、上述の送金者端末２００に返す（ｓ１５）。この通知には、上述の送金内容の情報と共に、取引番号も含まれている。
【００４８】
一方、上述の送金者は、送金者端末２００にて、送金内容の登録完了の通知を閲覧し、送金額に応じた現金を持って、最寄りの所定店舗に赴くこととなる。この店舗は、取引管理端末１５０が設置された店舗であって、送金手続業務を行う店舗である。
この店舗を訪れた上述の送金者は、例えば、自身の送金者端末２００において、上述の登録完了の通知を表示させ、上述の取引番号を店舗スタッフに提示する。
【００４９】
他方、店舗スタッフは、取引管理端末１５０の入力装置にて上述の取引番号を入力し、送金内容の確認手続を開始する。この場合、取引管理端末１５０は、取引番号をキーにした送金内容の情報要求を取引管理サーバ１００に送る（ｓ１６）。
【００５０】
取引管理サーバ１００は、上述の情報要求に応じて、取引番号をキーに取引管理テーブル１２５を検索し、該当レコードが含む情報、すなわち送金内容の情報等を、取引管理端末１５０に返す（ｓ１７）。上述の店舗スタッフは、この送金内容の情報等を取引管理端末１５０で閲覧し、送金者から送金額として受領すべき現金の額を認識することとなる。
例えば、そこで店舗スタッフと送金者との間で、送金額の認識を確認した上で、送金者から店舗スタッフに対し、該当額の現金が手交される。
【００５１】
店舗スタッフは、手交された現金を受領し、これをキャッシャーなどの現金処理装置に入金し、取引管理端末１５０の入力装置にて、所定のボタンを押下するなどして現金受取済みの指示動作を行う。
これを受けた取引管理端末１５０は、現金受取済みフラグの更新指示を、取引管理サーバ１００に送信する（ｓ１８）。
【００５２】
取引管理サーバ１００は、上述の更新指示を受けて、取引管理テーブル１２５の該当レコードの、現金受取済みフラグの欄に「ＯＫ」の値をセットする（ｓ１９）。
【００５３】
また、取引管理サーバ１００は、ｓ１９の完了をもって、現金受取済みであることを送金者端末２００に通知する（ｓ２０）。ここまでで、送金内容の登録処理は完了する。
−−−シーケンス例（受取処理）−−−
【００５４】
続いて、上述の受取者がＡＴＭ４００で送金額に応じた金員を出金し、受け取る手続に伴う各種処理について説明する。図１１は、本実施形態における送金管理方法のシーケンス例３を示す図であり、図１２は本実施形態における送金管理方法のシーケンス例４を示す図であり、図１３は本実施形態における送金管理方法のシーケンス例５を示す図である。
【００５５】
上述のとおり、送金者が所望の送金内容の情報等が取引管理テーブル１２５に登録されたとする。そこで取引管理サーバ１００は、取引管理テーブル１２５の該当レコードの情報を、受取者端末３００に通知する（ｓ２１）。
【００５６】
この通知の方法としては、例えば、受取者電話番号を宛先とした、いわゆるショートメッセージに、上述のレコードの情報、すなわち送金内容の情報を記載し、これを送信するものが想定できる。
【００５７】
またこの通知に際し、取引管理サーバ１００は、送金内容の情報のうち所定項目のみ（例：送金要求の識別データたる取引番号）を抽出し、これを通知内容とすることが想定できる。或いは、送金内容の情報の一部または全部を、予め備える二次元コード生成機能により二次元コード化し、この二次元コードのデータを通知することも想定できる。
【００５８】
一方、受取者端末３００は、上述の通知を受けて取引アプリ３１０を起動し（ｓ２２）、その通知内容、すなわち送金内容の情報を、ＮＦＣチップ３０８に格納し、また、ディスプレイにて表示（図１５：画面ｇ２）する（ｓ２３）。なお、通知内容には、出金装置であるＡＴＭ４００に赴いて該当金額の現金を受け取るよう促すメッセージも含まれていると好適である。
【００５９】
受取者は、自身の受取者端末３００のディスプレイにて、上述の通知内容を閲覧し、自身宛に送金があることやその取引番号、金額等について認識し、最寄りのＡＴＭ４００に移動する。
【００６０】
ＡＴＭ４００に到着した受取者は、ＡＴＭ４００の出力装置４０６たるディスプレイにて、例えば受取ボタンを押下する。この受取ボタンは、取引管理サーバ１００が提供する送金サービスに対応したＡＴＭ４００にて表示されているものである。
【００６１】
一方、ＡＴＭ４００は、上述の受取ボタンの押下を感知して（ｓ２４）、例えば、受取者が受取者端末３００で保持している送金内容の情報をＡＴＭ４００に提示するよう求めるメッセージ（図１６：画面ｇ３）をディスプレイに表示する。
【００６２】
このメッセージを見た受取者は、その受取者端末３００をＡＴＭ４００のＮＦＣリーダ４１０にかざす操作を行うか、ディスプレイに表示している二次元コードを撮像装置４１１に向ける操作を行う。ここでは、受取者が受取者端末３００をＡＴＭ４００のＮＦＣリーダ４１０にかざしたとする。
【００６３】
受取者端末３００のＮＦＣチップ３０８とＡＴＭ４００のＮＦＣリーダ４１０との距離が、無線通信可能な範囲内となった時点で、ＮＦＣ規格に応じた手順で、ＮＦＣチップ３０８の格納情報すなわち送金内容の情報が、ＮＦＣリーダ４１０によって読み取られることとなる。つまり、受取者端末３００が、ＮＦＣチップ３０８にて格納している送金内容の情報を、ＡＴＭ４００に送信することとなる（ｓ２５）。
一方、ＡＴＭ４００は、上述の送金内容の情報を受信し、本ＡＴＭ４００における操作にロックをかける、すなわち操作不可状態とする（ｓ２６）。
【００６４】
また、ＡＴＭ４００は、顔画像の撮影を行う旨のメッセージ（図１７：画面ｇ４）をディスプレイにて表示し、撮像装置４１１による受取者の顔画像撮影を実行する（ｓ２７）。
続いて、ＡＴＭ４００は、上述の受取人が本ＡＴＭ４００を訪れた旨を示す受取者来店情報を、取引管理サーバ１００に送信する（ｓ２８）。
【００６５】
この受取者来店情報は、ＡＴＭ４００が受取者端末３００から受信した送金内容の情報に加え、上述のｓ２７で撮影した受取者の顔画像（動画であってもよい）のデータ、および、本ＡＴＭ４００の店番、機番を含んでいる。
【００６６】
一方、取引管理サーバ１００は、上述の受取者来店情報をＡＴＭ４００から受信し、これが含む取引番号をキーに、取引管理テーブル１２５で該当レコードを検索し、このレコードにおいて、受取者来店情報が含む受取者の顔画像データを受取者画像欄に、また、ＡＴＭ４００の店番、機番の各値をＡＴＭ店番欄、機番欄に、それぞれ設定する（ｓ２９）。
続いて、取引管理サーバ１００は、上述の送金者の送金者端末２００に対し、上述の受取者がＡＴＭ４００を訪れたことを通知する（ｓ３０）。
【００６７】
ここでの通知内容は、取引番号、受取者電話番号、送金額、および、受取者の顔画像データ、を少なくとも含んでいる。ただし、受取者の顔画像データは、上述のｓ２７でＡＴＭ４００の撮像装置４１１が撮影したものだけでなく、当該受取者と所定の属性が共通する他者の撮影データ、すなわちダミーの撮影データを含むものとする。
【００６８】
そのため、取引管理サーバ１００は、上述の受取者の属性を取引管理テーブル１２５の該当レコードで参照し、当該属性をキーにダミー画像テーブル１２７においてダミー画像の検索を実行する。例えば、受取者の属性が、「男性」、「３０代」であった場合、そのダミー画像として、ダミー画像テーブル１２７の“属性１”欄が「男性」で、かつ、“属性２”欄が「３０代」であるものを特定することとなる。
【００６９】
一方、送金者端末２００は、ｓ３０での通知を受けて、当該通知が含む受取者の顔画像とそのダミー画像をディスプレイに表示させる（ｓ３１）。つまり、複数人の顔画像がディスプレイに表示される（図１８：画面ｇ５）。表示される顔画像にはその識別情報として、正しい受取者の顔画像には取引番号が、また、ダミー画像にはその画像ＩＤが、付与されている。
この場合、受取者は受取者端末３００にて、上述の複数人の顔画像を閲覧し、その中から正しい受取者の顔画像を選択する。
送金者端末２００は、上述の複数人の顔画像の中からの選択結果として、該当画像に付与されている識別情報を、取引管理サーバ１００に送信する（ｓ３２）。
【００７０】
一方、取引管理サーバ１００は、上述の送金者端末２００から、当該送金者が正しい受取者として選択した画像の識別情報を受信し、当該識別情報が、上述の受取者の顔画像に紐付く取引番号と一致する、すなわち、正しい受取者の選択がなされたか判定する（ｓ３３）。
上述の判定の結果、正しい受取者の選択がなされなかったことが判明した場合（ｓ３３：ｎ）、取引管理サーバ１００は処理を終了する。
【００７１】
他方、上述の判定の結果、正しい受取者の選択がなされたことが判明した場合（ｓ３３：ｙ）、取引管理サーバ１００は、ｓ２６で操作不可状態となっていたＡＴＭ４００に対し、操作不可状態の解除指示を通知する（ｓ３４）。これを受けたＡＴＭ４００は、上述
の操作不可状態の解除処理を実行する（ｓ３５）。
【００７２】
また、取引管理サーバ１００は、上述のｓ３４の実行後、予め備えた所定アルゴリズムによりワンタイムパスワードを生成し、これを当該取引番号と紐付けてパスワード管理テーブル１２６に格納すると共に、受取者端末３００に通知する（ｓ３６）。
【００７３】
上述の受取者は、受取者端末３００でワンタイムパスワードを閲覧し、これを、ＡＴＭ４００のディスプレイで表示中の所定画面（図１９：画面ｇ６）にて入力する。
【００７４】
ＡＴＭ４００は、受取者が入力したワンタイムパスワードの値を上述のディスプレイを介して取得し（ｓ３７）、これを取引番号とともに取引管理サーバ１００に送信する（ｓ３８）。
【００７５】
一方、取引管理サーバ１００は、上述の受取者がＡＴＭ４００で入力したワンタイムパスワードを受信し、このワンタイムパスワードがパスワード管理テーブル１２６にて該当取引番号と紐付けて保持するワンタイムパスワードと一致するか判定する（ｓ３９）。
上述の判定の結果、ワンタイムパスワードの不一致が判明した場合（ｓ３９：ｎ）、取引管理サーバ１００は、処理を終了する。
【００７６】
他方、上述の判定の結果、ワンタイムパスワードの一致が判明した場合（ｓ３９：ｙ）、取引管理サーバ１００は、取引管理テーブル１２５における該当レコードの、受取日付および受取時刻の各欄に、現在の日時に応じた値をそれぞれ設定する（ｓ４０）。
また、取引管理サーバ１００は、上述のＡＴＭ４００に対して出金指示を通知する（ｓ４１）。
【００７７】
一方、これを受けたＡＴＭ４００は、上述の受取者に対して、受取対象の金員の受取形態について選択を受け付ける画面（図２０：画面ｇ７）を表示し、受取者指定の口座への入金か、本ＡＴＭ４００での現金引き出しか、のいずれかの選択を受け付ける（ｓ４２）。
【００７８】
また、ＡＴＭ４００は、ｓ４２で受けた選択結果に応じて、該当金額（取引管理テーブル１２５における金額欄の値）を、勘定系に指示して所定のプール口座から出金し、これを受取者が選択した形態で出金処理を実行し（ｓ４３）、処理を終了する。
【００７９】
例えば、受取者が選択した形態が、ＡＴＭ４００での現金引き出しであった場合、ＡＴＭ４００は、上述のようにプール口座から出金した額の現金を、現金格納庫４２０から現金搬送機構４３０を介して現金入出口４４０に搬送し、受取者の取出し動作を受けることとなる。
【００８０】
なお、送金者が送金内容を登録する際に、自身が既に所持している受取者の顔画像も併せて登録するとしてもよい。この場合、受取者がＡＴＭ４００に受取に来た際、ＡＴＭ４００で撮影した顔画像と、上述の送金者が登録した顔画像との顔認識処理（既存技術を適宜に採用）で、ＡＴＭ４００を訪れた受取者が送金者の意図する正しい者であることを確認する。このことで、取引管理サーバ１００側で、ｓ３１，ｓ３２を省略し、かつｓ３３の判定処理を自動実行することも可能となる。
−−−他実施形態について−−−
【００８１】
上述の実施形態では、ＡＴＭ４００にて撮影された正当な受取者の顔画像を含む複数の顔画像中から、送金者によって当該正当な受取者の顔画像が正しく選択されたことをもって、ステップｓ３４〜ｓ３６（ＡＴＭ４００での操作不可状態の解除指示、ワンタイムパ
スワードの生成・通知）といった、出金に向けた処理の契機とした。
【００８２】
一方、これとは異なる他実施形態として、ＡＴＭ４００を訪れた受取者が、（本来知っているはずの）送金者を正しく認識できたことをもって、上述の契機とする構成も想定できる。そこで、他実施形態について以下説明する。なお、上述の本実施形態と他実施形態との差分についてのみ説明するものとする（以下同様）。
【００８３】
他実施形態における送金管理システムたる取引管理サーバ１００は、取引管理テーブル１２５として、図２１に示すものを保持している。既に示した図６の構成との相違点は、送金者画像および送金者属性を含むものの、受取者画像および受取者属性を含まない点にある。この送金者画像および送金者属性の取得経路、タイミング等について特段の限定はしないが、例えば、取引管理サーバ１００が、送金者端末２００から受信した送金内容より取得し格納したものを想定できる。そのため、他実施形態における送金者端末２００は、図２２で例示するように、カメラユニット２２０を備え、送金者の顔画像を撮影可能であるものとする。
続いて、上述の取引管理テーブル１２５を備える取引管理サーバ１００による、送金管理方法のシーケンス例について、図２３、２３に基づき説明する。
【００８４】
この場合、送金者端末２００は、取引アプリ２１０を起動し（ｓ１０）、当該取引アプリ２１０のインターフェイス（図２５の画面ｇ８）を出力装置２０６たるディスプレイにて表示させる。上述の送金者は、自身の送金者端末２００のディスプレイにおいて、取引アプリ２１０のインターフェイスを閲覧する。また、このインターフェイスにて送金内容の情報を入力する。
【００８５】
図２５で例示するように、画面ｇ８では、送金者の属性に関する入力を受け付けるインターフェイスの他、取引管理サーバ１００にアップロードすべき送金者の顔画像について、ファイル選択か送金者端末２００での撮影のいずれかを選択させるインターフェイスを有している。
【００８６】
このうちファイル選択のリンクがクリックされた場合、取引アプリ２１０は、例えば、送金者端末２００の記憶装置１０１でのフォルダの階層構成と各フォルダの格納ファイルの情報を表示し、顔画像データの格納ファイルの選択指示を送金者より受け付ける。
【００８７】
一方、撮影ボタンがクリックされた場合、取引アプリ２１０は、送金者端末２００のカメラユニット２２０を起動し、送金者による顔画像の撮影操作を受けて、顔画像データを取得する。
【００８８】
送金者端末２００は、送金者が入力した送金内容の情報および上述の顔画像データを、上述のインターフェイスを介して取得し（ｓ１１）、これを送金要求として取引管理サーバ１００に送信する（ｓ１２）。ここで送信される送金要求が含む情報、すなわち送金内容の情報は、送金者名、送金者電話番号、送金者の顔画像（または映像。以下送金者画像等）、送金者属性、受取者電話番号、および、送金額、といったものになる。
【００８９】
続いて、取引管理サーバ１００は、上述の送金者端末２００が送信してきた送金要求を受信し、この受信を契機にして取引番号を生成する（ｓ１３）。取引番号の生成は、取引管理テーブル１２５にて登録済みレコードに付与されている取引番号の最大値を１つインクリメントする、といった一般的手法を適宜に採用する。
【００９０】
また、取引管理サーバ１００は、ｓ１３で生成した取引番号をキーとしてレコードを生成し、このレコードに上述の送金内容の情報および顔画像データと、送金要求受信の日付
および時刻をプラスした上でセットして取引管理テーブル１２５に格納する（ｓ１４）。以降のｓ１５〜ｓ１７の処理については、図９で示したシーケンスと同様に実行される。また図１０で示した、ｓ１８〜ｓ２０の処理についても同様に実行される。
【００９１】
一方、ここで説明する他実施形態においては、図１１で例示したシーケンスのうちｓ２７（受取者の撮影）は実行せず、そのため、ｓ２８でＡＴＭ４００から取引管理サーバ１００に送信される受取者来店情報には、受取者画像は含まれない。また同様に、図１２で例示したシーケンスのうち、ｓ２９で取引管理テーブル１２５に登録される情報に受取者画像は含まれず、ｓ３０〜ｓ３２の内容や実行主体も異なるものとなる。
【００９２】
そこで、図２４のシーケンス例に基づき、他実施形態の送金管理方法における受取処理の詳細について説明する。この場合、取引管理サーバ１００は、（受取者画像を含まない）受取者来店情報をＡＴＭ４００から受信し、これが含む取引番号をキーに、取引管理テーブル１２５で該当レコードを検索し、このレコードにおいて、受取者来店情報が含む、ＡＴＭ４００の店番、機番の各値をＡＴＭ店番欄、機番欄に、それぞれ設定する（ｓ２９）。
続いて、取引管理サーバ１００は、上述の受取者の受取者端末３００に対し、上述の送金内容および送金者の顔画像データについて通知する（ｓ３０）。
【００９３】
ここでの通知内容は、取引番号、受取者電話番号、送金額、および、送金者の顔画像データ、を少なくとも含んでいる。ただし、送金者の顔画像データは、上述のｓ１１で送金者端末２００のカメラユニット２２０が撮影したものだけでなく、当該送金者と所定の属性が共通する他者の撮影データ、すなわちダミーの撮影データを含むものとする。
【００９４】
そのため、取引管理サーバ１００は、上述の送金者の属性を取引管理テーブル１２５の該当レコードで参照し、当該属性をキーにダミー画像テーブル１２７においてダミー画像の検索を実行する。
【００９５】
例えば、送金者の属性が、「男性」、「３０代」であった場合、そのダミー画像として、ダミー画像テーブル１２７の“属性１”欄が「男性」で、かつ、“属性２”欄が「３０代」であるものを特定することとなる。
【００９６】
一方、受取者端末３００は、ｓ３０での通知を受けて、当該通知が含む送金者の顔画像とそのダミー画像をディスプレイに表示させる（ｓ３１）。つまり、複数人の顔画像がディスプレイに表示される（図２６：画面ｇ９）。表示される顔画像にはその識別情報として、正しい送金者の顔画像には取引番号が、また、ダミー画像にはその画像ＩＤが、付与されている。
この場合、受取者は受取者端末３００にて、上述の複数人の顔画像を閲覧し、その中から正しい送金者の顔画像を選択する。
受取者端末３００は、上述の複数人の顔画像の中からの選択結果として、該当画像に付与されている識別情報を、取引管理サーバ１００に送信する（ｓ３２）。
【００９７】
一方、取引管理サーバ１００は、上述の受取者端末３００から、当該受取者が正しい送金者として選択した画像の識別情報を受信し、当該識別情報が、上述の送金者の顔画像に紐付く取引番号と一致する、すなわち、正しい送金者の選択がなされたか判定する（ｓ３３）。
上述の判定の結果、正しい送金者の選択がなされなかったことが判明した場合（ｓ３３：ｎ）、取引管理サーバ１００は処理を終了する。
【００９８】
他方、上述の判定の結果、正しい送金者の選択がなされたことが判明した場合（ｓ３３
：ｙ）、取引管理サーバ１００は、ｓ２６で操作不可状態となっていたＡＴＭ４００に対し、操作不可状態の解除指示を通知する（ｓ３４）。これを受けたＡＴＭ４００は、上述の操作不可状態の解除処理を実行する（ｓ３５）。以降のｓ３６〜ｓ３６の処理については、図１２で示したシーケンスと同様に実行される。また、図１３で示したシーケンスについても同様に実行されることとなる。
【００９９】
以上、本発明を実施するための最良の形態などについて具体的に説明したが、本発明はこれに限定されるものではなく、その要旨を逸脱しない範囲で種々変更可能である。
【０１００】
こうした本実施形態によれば、送金者側としては確認番号の伝達不要であるため、その手間が軽減され、誤った確認番号を伝達する恐れや、確認番号の漏洩を懸念する必要も無く、ひいては、悪意の或いは誤った受取者による金員受領を抑止できる。つまり、正当な受取者に成りすました別人に、送金した金員を受け取られるリスクを回避できる。また、送金を仲介する送金業者としては、レシート発行が不要となり、ペーパレス化によるコストや手間の低減、および、セキュリティ強化が図られることとなる。
すなわち、口座不要の送金サービスをセキュアかつ効率的に提供可能となる。
【０１０１】
本明細書の記載により、少なくとも次のことが明らかにされる。すなわち、本実施形態の送金管理システムにおいて、前記演算装置は、前記受取者による所定操作を受けて操作不可状態となっていた前記出金装置に対し、前記出金指示にあわせて或いは先立って、前記操作不可状態の解除指示を通知する処理をさらに実行するものである、としてもよい。
【０１０２】
本実施形態における出金装置において、送金者から送金された金員を受領しようと当該出金装置を訪れた受取者に関し、その所定の操作に対応して、タッチパネル等のインターフェイスでの指示を受け付けない、すなわち操作不可状態とする制御を行う。一方、上述の構成によれば、送金者が複数の撮影データの中から正しい受取者のものを選択できたことに伴う出金指示にあわせて或いは先立って、これを解除できる。このことは、例えば、虚偽の受取者が出金装置を操作して金員を受領しようとしていても、送金者により受取者の確実な確認を経ない限り、出金装置の操作自体が不可能となり、送金処理のセキュリティ性を高めることにつながる。ひいては、口座不要の送金サービスをよりセキュアかつ効率的に提供可能となる。
【０１０３】
なお、上述の所定の操作の例としては、予め定めた所定ボタンの押下、または、受取者端末のＮＦＣチップをＡＴＭのリーダーにかざす、或いは、受取者端末で表示させた二次元コードをＡＴＭのリーダーに読み取らせる、などが想定できる。
【０１０４】
また、本実施形態の送金管理システムにおいて、前記演算装置は、前記出金指示の通知に先立ち、前記操作不可状態の解除指示の通知に伴い、所定アルゴリズムによりワンタイムパスワードを生成および保持し、前記ワンタイムパスワードを前記受取者の端末に通知する処理と、前記受取者が前記出金装置で入力したワンタイムパスワードを、当該出金装置から受信し、当該ワンタイムパスワードが前記保持したワンタイムパスワードと一致するか判定する処理と、を実行し、前記判定の結果、ワンタイムパスワードの一致がみられた場合に、前記出金指示の通知を行うものである、としてもよい。
【０１０５】
これによれば、送金者が複数の撮影データの中から正しい受取者のものを選択できたことの確認に加えて、ワンタイムパスワードの一致確認も出金の要件とすることで、撮影データの選択の正しさに関する確認後に、正しい受取者がその場を離れた隙に別人が金員を受領してしまうといった事態の発生を回避できる。ひいては、口座不要の送金サービスを、さらにセキュアかつ効率的に提供可能となる。
【０１０６】
また、本実施形態の送金管理方法において、前記情報処理システムが、前記受取者による所定操作を受けて操作不可状態となっていた前記出金装置に対し、前記出金指示にあわせて或いは先立って、前記操作不可状態の解除指示を通知する処理をさらに実行する、としてもよい。
【０１０７】
また、本実施形態の送金管理方法において、前記情報処理システムが、前記出金指示の通知に先立ち、前記操作不可状態の解除指示の通知に伴い、所定アルゴリズムによりワンタイムパスワードを生成および保持し、前記ワンタイムパスワードを前記受取者の端末に通知する処理と、前記受取者が前記出金装置で入力したワンタイムパスワードを、当該出金装置から受信し、当該ワンタイムパスワードが前記保持したワンタイムパスワードと一致するか判定する処理と、を実行し、前記判定の結果、ワンタイムパスワードの一致がみられた場合に、前記出金指示の通知を行う、としてもよい。
【符号の説明】
【０１０８】
１  ネットワーク
１００  取引管理サーバ（送金管理システム）
１０１  記憶装置
１０２  プログラム
１０３  メモリ
１０４  演算装置
１０５  通信装置
１２５  取引管理テーブル
１２６  パスワード管理テーブル
１５０  取引管理端末
２００  送金者端末
２０１  記憶装置
２０２  プログラム
２０３  メモリ
２０４  演算装置
２０５  入力装置
２０６  出力装置
２０７  通信装置
２１０  取引アプリ
２２０  カメラユニット
３００  受取者端末
３０１  記憶装置
３０２  プログラム
３０３  メモリ
３０４  演算装置
３０５  入力装置
３０６  出力装置
３０７  通信装置
３０８  ＮＦＣチップ
３１０  取引アプリ
４００  ＡＴＭ
４０１  記憶装置
４０２  プログラム
４０３  メモリ
４０４  演算装置
４０５  入力装置
４０６  出力装置
４０７  通信装置
４１０  ＮＦＣリーダ
４１１  撮像装置
４１２  コードリーダアプリ
４２０  現金格納庫
４３０  現金搬送機構
４４０  現金入出口
【図１】
2020008991.tif 000003
【図２】
2020008991.tif 000004
【図３】
2020008991.tif 000005
【図４】
2020008991.tif 000006
【図５】
2020008991.tif 000007
【図６】
2020008991.tif 000008
【図７】
2020008991.tif 000009
【図８】
2020008991.tif 000010
【図９】
2020008991.tif 000011
【図１０】
2020008991.tif 000012
【図１１】
2020008991.tif 000013
【図１２】
2020008991.tif 000014
【図１３】
2020008991.tif 000015
【図１４】
2020008991.tif 000016
【図１５】
2020008991.tif 000017
【図１６】
2020008991.tif 000018
【図１７】
2020008991.tif 000019
【図１８】
2020008991.tif 000020
【図１９】
2020008991.tif 000021
【図２０】
2020008991.tif 000022
【図２１】
2020008991.tif 000023
【図２２】
2020008991.tif 000024
【図２３】
2020008991.tif 000025
【図２４】
2020008991.tif 000026
【図２５】
2020008991.tif 000027
【図２６】
2020008991.tif 000028